(57)【特許請求の範囲】
【請求項１】
遊び域の両側に楔域を有する楔溝が内周面に形成された環状本体と、この環状本体に連結されたハンドルと、上記楔溝内で転動可能な転がり部材と、この転がり部材を転動可能に保持しつつ、上記環状本体の内周で周方向にスライド可能なリテーナと、このリテーナをスライドさせて上記転がり部材を上記楔域のうちいずれか一方に偏倚させることによりスパナを締め方向と緩め方向の何れか一方に切り替える切り替え手段とを具備したスパナにおいて、上記切り替え手段が、上記環状本体又は上記ハンドルに上記環状本体の軸心に平行に穿設された縦穴と、この縦穴内にスライド可能に挿入された切り替えロッドと、この切り替えロッドから上記リテーナへと突出するピンと、このピンを上記縦穴から上記リテーナへと通す通し孔と、上記ピンを上記縦穴に平行に案内する案内手段と、上記ピンが嵌り込む上記リテーナに形成されたカム溝と、上記切り替えロッドの一方向へのスライドによる上記ピン、上記カム溝及び上記リテーナの連動に伴って上記転がり部材が上記楔域のうち一方に偏倚すると、上記切り替えロッドを第一の位置に拘束し、上記切り替えロッドの他方向へのスライドによる上記ピン、上記カム溝及び上記リテーナの連動に伴って上記転がり部材が上記楔域のうち他方に偏倚すると、上記切り替えロッドを第二の位置に拘束するクリックストップ機構とを具備してなることを特徴とするスパナ。
【請求項２】
請求項１に記載のスパナにおいて、上記クリックストップ機構が上記縦穴内に設けられたことを特徴とするスパナ。
【請求項３】
請求項１に記載のスパナにおいて、上記転がり部材のうち、上記環状本体の周方向で所望の角度で離れた少なくとも二個の転がり部材に対応する楔溝が省略されていることを特徴とするスパナ。
【請求項４】
請求項１に記載のスパナにおいて、上記転がり部材のうち、上記環状本体の周方向で所望の角度で離れた少なくとも二個の転がり部材に対応して遊び溝が形成されていることを特徴とするスパナ。
【発明の詳細な説明】
【技術分野】
【０００１】
本発明は、ワンウェイクラッチ式のスパナに関する。
【背景技術】
【０００２】
従来、ワンウェイクラッチ式のスパナには、一方向でのみ転がり部材が遊び域から楔域に移動するようにしたもの（例えば、特許文献１、２参照）、双方向で転がり部材が遊び域から楔域に移動可能であり、切り替えレバーでいずれか一方の向きに移動するように切り替え可能にしたもの（例えば、特許文献３参照）がある。
【先行技術文献】
【特許文献】
【０００３】
【特許文献１】特開２００８−１７８９２３号公報
【特許文献２】特許第３１５５８８８号公報
【特許文献３】特許第４１５７３３４号公報
【発明の概要】
【発明が解決しようとする課題】
【０００４】
上記従来のワンウェイクラッチ式のスパナのうち、前者はナット等のネジを締める場合と緩める場合とではスパナを表裏いずれの側にするか選択する必要があり、ネジを締めたり緩めたりする操作が面倒である。
【０００５】
一方、後者はスパナを表側又は裏側にしたまま切り替えレバーを切り替え操作するのみでネジを締めたり緩めたりすることができる。しかし、このスパナは、切り替えレバーがスパナの表側に配置されているので、スパナを裏返してナット等に嵌めた場合は、切り替えレバーの切り替え操作が面倒になり、しかもいずれが締め方向か緩め方向か見定めがたい。また、切り替えレバーのクリックストップ機構が外部に露出しているので、油汚れ等によってクリックストップ機構が目詰まりし、切り替え操作が困難になるおそれがある。
【０００６】
したがって、本発明は、上記諸問題点を解決することができるスパナを提供することを目的とする。
【課題を解決するための手段】
【０００７】
上記課題を解決するため、本発明は次のような構成を採用する。
【０００８】
なお、本発明の理解を容易にするため、図面の参照符号をかっこ書きで付するが、本発明はこれに限定されるものではない。
【０００９】
すなわち、請求項１に係る発明は、遊び域（１ａ）の両側に楔域（１ｂ，１ｃ）を有する楔溝（１）が内周面に形成された環状本体（２）と、この環状本体（２）に連結されたハンドル（３）と、上記楔溝（１）内で転動可能な転がり部材（４）と、この転がり部材（４）を転動可能に保持しつつ、上記環状本体（２）の内周で周方向にスライド可能なリテーナ（５）と、このリテーナ（５）をスライドさせて上記転がり部材（４）を上記楔域（１ｂ，１ｃ）のうちいずれか一方に偏倚させることによりスパナを締め方向と緩め方向の何れか一方に切り替える切り替え手段とを具備したスパナにおいて、上記切り替え手段が、上記環状本体（２）又は上記ハンドル（３）に上記環状本体（２）の軸心に平行に穿設された縦穴（１２）と、この縦穴（１２）内にスライド可能に挿入された切り替えロッド（１３）と、この切り替えロッド（１３）から上記リテーナ（５）へと突出するピン（１４）と、このピン（１４）を上記縦穴（１２）から上記リテーナへと通す通し孔（１５ａ，１５ｂ）と、上記ピンを上記縦穴に平行に案内する案内手段と、上記ピン（１４）が嵌り込む上記リテーナ（５）に形成されたカム溝（１６）と、上記切り替えロッド（１３）の一方向へのスライドによる上記ピン（１４）、上記カム溝（１６）及び上記リテーナ（５）の連動に伴って上記転がり部材（４）が上記楔域（１ｂ，１ｃ）のうち一方に偏倚すると、上記切り替えロッド（１３）を第一の位置に拘束し、上記切り替えロッド（１３）の他方向へのスライドによる上記ピン（１４）、上記カム溝（１６）及び上記リテーナ（５）の連動に伴って上記転がり部材（４）が上記楔域（１ｂ，１ｃ）のうち他方に偏倚すると、上記切り替えロッド（１３）を第二の位置に拘束するクリックストップ機構（２０，２１ａ，２１ｂ）とを具備してなるスパナを採用する。
【００１０】
請求項２に記載されるように、請求項１に記載のスパナにおいて、上記クリックストップ機構（２０，２１ａ，２１ｂ）が上記縦穴（１２）内に設けられたものとすることができる。
【００１１】
請求項３に記載されるように、請求項１に記載のスパナにおいて、上記転がり部材（４，４ａ）のうち、上記環状本体（２）の周方向で所望の角度で離れた少なくとも二個の転がり部材（４ａ）に対応する楔溝（１）が省略されたものとすることができる。
【００１２】
請求項４に記載されるように、請求項１に記載のスパナにおいて、上記転がり部材（４，４ａ）のうち、上記環状本体（２）の周方向で所望の角度で離れた少なくとも二個の転がり部材（４ａ）に対応して遊び溝（２３）が形成されたものとすることができる。
【発明の効果】
【００１３】
本発明によれば、スパナをナット等に対して表側と裏側のいずれの向きで装着しても、表側及び裏側のいずれからでも締め方向と緩め方向の切り替え操作を円滑に行うことができる。したがって、ネジ止め作業等を簡易かつ迅速に行うことができる。
【００１４】
また、切り替えレバーのクリックストップ機構はスパナ内に埋設され、外部に突起物となって露出しないので、ネジ止め作業等に支障を来たさない。さらに、切り替えレバーのクリックストップ機構がスパナ内に埋設されることから、油汚れ、塵埃が付着し難く、従って常時円滑かつ正確な切り替え操作を行うことができる。
【図面の簡単な説明】
【００１５】
【図１】本発明の実施の形態１に係るスパナの平面図である。
【図２】スパナの部分切欠正面図である。
【図３】スパナの分解斜視図である。
【図４】環状本体の斜視図である。
【図５】リテーナの斜視図である。
【図６】リテーナの正面図である。
【図７】環状本体から止め輪及びスペーサを除去して示す平面図である。
【図８】楔溝の周辺部を表す部分切欠断面図であり、（Ａ）は締め付け時、（Ｂ）は緩め時を夫々示す。
【図９】本発明の実施の形態２に係るスパナの平面図である。
【図１０】スパナの部分切欠正面図である。
【図１１】スパナの分解斜視図である。
【図１２】遊び溝の周辺部を表す部分切欠断面図である。
【発明を実施するための形態】
【００１６】
以下、本発明の望ましい形態について図面に基づいて説明する。
【００１７】
＜実施の形態１＞
図１乃至図３に示すように、このスパナは、楔溝１が内周面に多数形成された環状本体２と、この環状本体２に連結されたハンドル３と、上記楔溝１内で転動可能な転がり部材４と、この転がり部材４を転動可能に保持しつつ、上記環状本体２の内周で周方向にスライド可能なリテーナ５と、このリテーナ５をスライドさせて上記転がり部材４を楔溝１内でいずれか一方に偏倚させることによりスパナを締め方向と緩め方向の何れか一方に切り替える切り替え手段とを具備する。
【００１８】
環状本体２は、図４に示すように、厚肉の円筒形に形成される。この円筒形の一端の内周面には、図２乃至図４に示すようにリテーナ５の一端面を受け止めるための内向きフランジ２ａが設けられる。また、この円筒形の他端の内周面には、図２及び図３に示すようにリテーナ５の他端面を受け止める止め輪６を嵌め込むための環状凹溝２ｂが設けられる。
【００１９】
環状本体２の内周面における上記内向きフランジ２ａと環状凹溝２ｂとの間には、多数の楔溝１が所定間隔で形成される。図８に示すように、各楔溝１は、中央部が遊び域１ａとして深く形成され、中央部の両側が楔域１ｂ，１ｃとして中央部から環状本体２の周方向に遠ざかるに連れて浅くなるように形成される。
【００２０】
転がり部材４は、転動体であるローラとして形成される。図１及び図７に示すように、この転がり部材４が、各楔溝１に対応するように配置される。ローラに代えてボールを用いることも可能である。その場合は各楔溝１もボールに対応した形状に変更される。
【００２１】
図１及び図７に示すように、上記多数の転がり部材４のうち、環状本体２の周方向で略同じ角度で離れた二個の転がり部材４ａ，４ａに対応する楔溝１が省略される。この角度はこの実施の形態１では約１８０度である。この楔溝１が省略された箇所では、環状本体２の内周面は他の面と面一化される。この一対の転がり部材４ａ，４ａは、環状本体２の内周面と被回転体Ａの円筒面との間にわずかな隙間が生じる程度の径とされる。
【００２２】
これにより、環状本体２内に挿入されるボルト頭やナット等の外周面が円筒面である被回転体Ａは、スパナの装着時にまずこの一対の転がり部材４ａ，４ａである位置決め部材に接触し、環状本体２の中空内の略中心位置に位置決めされる。スパナを回し始めると一対の転がり部材４ａ，４ａは被回転体Ａの円筒面に接触しつつ回転し、他の転がり部材４も回転開始の位置を保たれたまま、環状本体２の楔溝１内で遊び域１ａ（図８参照）の角度分だけ回転するので、他の転がり部材４は遊び域１ａから速やかに楔域１ｂ又は１ｃ（図８参照）に入る。従って、スパナを回し始めると殆ど同時に楔作用が発揮され、被回転体Ａを簡易かつ迅速に回すことができる。
【００２３】
なお、位置決め部材としての転がり部材４ａは三個又はそれ以上設けることも可能である。三個設ける場合であっても、転がり部材間の角度は任意でよい。１個の転がり部材４ａが支点となり他の１個又は２個の転がり部材４ａが力点となって、転がり部材４が被回転体Ａに対し空回転しなければ、転がり部材４ａ，４ａ間の角度の如何は問わない。
【００２４】
ハンドル３は、図１乃至図３に示すように、上記環状本体２の側面に垂直に取り付けられる。図１及び図３中、符号７はハンドル３を環状本体２に固定するためのボルトを示す。また、図４中、符号８はボルト７と螺合するネジ孔を示す。
【００２５】
リテーナ５は、図１乃至図３に示すように、環状本体２の空室内に挿入され得る円筒体として形成される。リテーナ５には、図５及び図６に示すように、転がり部材４を収納する多数の収納溝９がリテーナ５の円筒壁を内外に貫通するように形成される。各収納溝９におけるリテーナ５の内周面側には、転がり部材４，４ａの抜け止め用突起１１が形成される。収納溝９は上記環状本体２の各楔溝１に対向するように設けられる。また、リテーナ５には、位置決め部材としての転がり部材４ａを収納するための収納溝９ａ及び抜け止め用突起１１も設けられる。
【００２６】
図２に示すように、リテーナ５はその各収納溝９内に転がり部材４，４ａを保持した状態で環状本体２内に挿入される。リテーナ５は、環状本体２内において、その一端面が環状本体２の一端における内向きフランジ２ａに当接し、他端面がスペーサ１０に当接する。スペーサ１０は、環状本体２の環状凹溝２ｂに嵌め込まれた止め輪６によってリテーナ５と止め輪６との間に挟まれる。これにより、リテーナ５は環状本体２内に保持される。
【００２７】
リテーナ５内において、転がり部材４は各収納溝９内に拘束された状態で、その一部が抜け止め用突起１１に当たることで、リテーナ５の内周側への脱落が阻止され、反対側の部分が環状本体２の楔溝１内に入り込む。
【００２８】
これにより、リテーナ５が環状本体２の内周で周方向の一方又は他方にスライドすると、図７及び図８に示すように、転がり部材４が楔溝１内で遊び域１ａ内からいずれか一方の楔域１ｂ，１ｃ内に偏倚する。後に述べるように、転がり部材４が一方の楔域１ｂに偏倚するとスパナが締め方向に切り替えられ、転がり部材４が他方の楔域１ｃに偏倚するとスパナが緩め方向に切り替えられる。また、リテーナ５のスライドにより転がり部材４が両楔域１ｂ，１ｃの中間の遊び域１ａに戻されることによって、スパナが中立状態に切り替えられ、被回転体Ａの締め付け操作及び緩め操作のいずれも不能になる。
【００２９】
切り替え手段は、図１乃至図３に示すように、上記ハンドル３の付け根部分に、上記環状本体２の軸心に平行に穿設された縦穴１２と、この縦穴１２内にスライド可能に挿入された切り替えロッド１３と、この切り替えロッド１３から上記リテーナ５へと突出するピン１４と、このピン１４を上記縦穴１２に平行に案内する上記縦穴１２から上記リテーナ５に向かって穿設された縦溝１５ａ，１５ｂと、上記ピン１４が嵌り込む上記リテーナ５に形成されたカム溝１６と、上記切り替えロッド１３の一方向へのスライドによる上記ピン１４及び上記切り替えロッド１３を第一の位置又は第二の位置に選択的に拘束するクリックストップ機構とを具備する。
【００３０】
縦穴１２は、望ましくはハンドル３の付け根部分にスパナの表裏間を貫通するように設けられる。もちろん、縦穴１２は環状本体２側に設けることも可能である。縦穴１２は断面円形の穴であってもよいし、断面四角形等他の形状の穴であってもよい。
【００３１】
切り替えロッド１３は、上記縦穴１２内に挿入可能であり、縦穴１２の長さよりもやや長い丸棒として形成される。縦穴１２が角穴その他の形状の穴であればその形状に合うように角棒等の形状とされる。図２及び図３に示すように、切り替えロッド１３が縦穴１２から抜け出ないように、切り替えロッド１３の一端には鍔１３ａが設けられ、他端には同じく抜け止め用の鍔となるカラー１３ｂが固定ネジ１３ｃによって固定される。
【００３２】
図２に示すように、切り替えロッド１３は、鍔１３ａ又はカラー１３ｂがハンドル３の表裏面に当接するまで縦穴１２内をスライド可能である。
【００３３】
ピン１４は、切り替えロッド１３の側面に垂直に固定され、切り替えロッド１３からリテーナ５へと突出する。
【００３４】
縦溝１５ａ，１５ｂは、ピン１４がリテーナ５へと通すための通し孔であり、ハンドル３と環状本体２とに互いに連通するように形成される。一方の縦溝１５ａは、ハンドル３側にスパナの表面に垂直に陥没するＵ字溝として形成され、他方の縦溝１５ｂは、環状本体２側では、図４に示すように、スパナの表裏間を垂直方向に伸びる長孔として形成される。
【００３５】
これら縦溝１５ａ，１５ｂは、ピン１４を切り替えロッド１３及び縦穴１２の軸心と平行に案内するための案内手段としても機能する。ただし、上記縦穴１２及び切り替えロッド１３の横断面を多角形、楕円形等円形以外の形状にした場合は、切り替えロッド１３が軸回りに回転せず、ピン１４を縦穴１２に平行に案内することができるので、上記縦溝１５ａ，１５ｂはピン１４を垂直方向に平行移動させる機能を失っても差し支えはない。従って、その場合は縦溝１５ａ，１５ｂは例えば単なる丸穴等として形成することができる。
【００３６】
これにより、切り替えロッド１３が縦穴１２内を図２中実線で示す第一の位置と二点鎖線で示す第二の位置との間でスライドすると、ピン１４が縦溝１５ａ，１５ｂ内を図２中実線位置と二点鎖線位置との間を移動する。この実施の形態１では第一の位置が右ネジを緩めるための位置に対応し、第二の位置が右ネジを締めるための位置に対応する。
【００３７】
カム溝１６は、図５及び図６に示すように、ピン１４の先端が入り込みうる大きさでリテーナ５の側面に形成される。カム溝１６は、概ね長孔をリテーナ５の外周面の母線に対して傾斜させたような形状に形成される。図２に示すように、このカム溝１６内に上記ピン１４の先端部が入り込む。図６中、ピン１４がカム溝１６内を上昇すると、リテーナ５が図７中矢印ａで示す緩め領域の方向に回動する。また、ピン１４がカム溝１６内を下降すると、リテーナ５が図７中矢印ｂで示す締め領域の方向に回動する。
【００３８】
これにより、上述の如く切り替えロッド１３が縦穴１２内で図２中第一の位置と第二の位置との間をスライドすると、ピン１４が縦溝１５ａ，１５ｂ内で同様に移動し、ピン１４の先端部がカム溝１６の内壁面に摺接する。そして、このピン１４とカム溝１６との摺接作用によってリテーナ５が転がり部材４，４ａを伴い環状本体２内をその周方向に沿っていずれかの向きに選択的にスライドする。その結果、転がり部材４が楔溝１内で何れか一方の楔域１ｂ，１ｃ内へと偏倚する。より詳しくは、遊び域１ａの中心からいずれか一方の楔域１ｂ、１ｃに偏倚する。
【００３９】
また、切り替えロッド１３が図２中第一の位置と第二の位置との中間で停止せしめられると、リテーナ５が転がり部材４，４ａを伴い環状本体２内をその周方向に沿っていずれかの向きにスライドしたうえで、転がり部材４を楔溝１の遊び域１ａ内に移動させて停止する。これにより、スパナは中立状態となる。
【００４０】
図１に示すように、切り替えロッド１３がハンドル３の表面外に露出する箇所におけるハンドル３の表面には、「ＰＵＳＨ」の表示１７及び締め方向を示す矢印１８が表示される。右ネジを締める場合は、図２中二点鎖線位置へと切り替えロッド１３を指でプッシュしたうえで、矢印１８の方向すなわち時計方向にスパナを回すと、ナット等被回転体Ａを転がり部材４で拘束しつつネジ締めすることができる。ネジを緩める場合は、スパナを裏返すことなく、図２中実線位置へと切り替えロッド１３にスパナの裏側から指を当てて上側にプッシュしたうえで、矢印１８と反対方向すなわち反時計方向にスパナを回すと、ナット等被回転体Ａを転がり部材４で拘束しつつネジを緩めることができる。
【００４１】
また、図示しないがハンドル３の裏面にも同様の表示が付される。スパナを裏返して使用する場合も、この表示に従って切り替えロッド１３をプッシュ操作することで上記と同様にネジの締め付け操作と緩め操作とを表面での動作と同じように行うことができる。
【００４２】
クリックストップ機構は、図２及び図３に示すように、切り替えロッド１３の側面に弾性体１９によって押し付けられる押圧片２０と、上記第一の位置と第二の位置に対応するように切り替えロッド１３の側面に形成された凹部２１ａ，２１ｂとを具備する。
【００４３】
具体的には、押圧片２０は鋼製の小球であり、弾性体１９はコイルバネであり、凹部２１ａ，２１ｂは小球である押圧片２０が嵌り込む小穴である。上記ハンドル３には縦穴１２の内面からトンネル状に収納孔２２が穿設され、この収納孔２２内に弾性体１９であるコイルバネと押圧片２０である小球とが収納される。押圧片２０は収納孔２２の開口から切り替えロッド１３の側面に向かって弾性体１９によって押し付けられる。また、凹部２１ａ，２１ｂである小穴は、切り替えロッド１３の側面における一本の母線上において切り替えロッド１３のストローク分だけ離れた位置に各々形成される。
【００４４】
これにより、切り替えロッド１３が一方向へスライド操作されることにより、ピン１４、カム溝１６及びリテーナ５が連動し、これに伴い転がり部材４が楔域１ｂ，１ｃのうち一方に偏倚すると、押圧片２０が一方の凹部２１ａ又は２１ｂに嵌り込んで切り替えロッド１３を第一又は第二の位置に拘束する。また、切り替えロッド１３が他方向へスライド操作されることにより、ピン１４、カム溝１６及びリテーナ５が連動し、これに伴って転がり部材４が楔域１ｂ，１ｃのうち他方に偏倚すると、押圧片２０が他方の凹部２１ｂ又は２１ａに嵌り込んで切り替えロッド１３を第二の位置又は第一の位置に拘束する。
【００４５】
また、上述したように、クリックストップ機構の押圧片２０、凹部２１ａ、２１ｂ等は縦穴１２内に埋設され、縦穴１２と切り替えロッド１３との摺接面によって、外部から隠蔽され遮断されるので、スパナ外部に突起物となって突出せず、また、凹部２１ａ、２１ｂ等への油汚れ等の付着が防止される。
【００４６】
次に、上記スパナの作用について説明する。
【００４７】
スパナは望ましくは当初中立状態に切り替えられる。すなわち、切り替えロッド１３が図２中実線で示す第一の位置から二点鎖線で示す第二の位置との中間位置にセットされる。これにより、転がり部材４が楔溝１内を図８（Ａ）（Ｂ）中実線で示す遊び域１ａ内に移動し停止する。この中立状態では転がり部材４は楔溝１の楔域１ｂ，１ｃへの偏倚がリテーナ５によって阻止されるので、スパナはボルト頭やナット等の外周面が円筒面である被回転体Ａに対して空回りする。
【００４８】
中立状態にセットされたスパナの環状本体２が、図１に示す表側を上にして、被回転体Ａに被せられる。
【００４９】
環状本体２内の位置決め部材である一対の転がり部材４ａ，４ａに、被回転体Ａの円筒面が接触し、被回転体Ａが環状本体２の中空内の略中心位置に位置決めされる。これにより、被回転体Ａに対し転がり部材４が接触し、スパナを回し始めると同時に後述の楔作用が発揮され、被回転体Ａを簡易かつ迅速に回すことができる。
【００５０】
被回転体Ａが右ネジであって、これを締め付けようとする場合は、切り替えロッド１３を図２中実線で示す第一の位置と二点鎖線で示す第二の位置との中間位置から第二の位置に押し下げる。切り替えロッド１３は、鍔１３ａがハンドル３の表面に当接することにより停止する。
【００５１】
このように切り替えロッド１３が、縦穴１２内を下方にスライドすると、同時にピン１４も縦溝１５ａ，１５ｂ内を図２中実線位置から二点鎖線位置へと垂直に下降する。
【００５２】
ピン１４が縦溝１５ａ，１５ｂ内を下降し、ピン１４の先端部がカム溝１６の内壁面に摺接すると、ピン１４とカム溝１６との摺接作用によって、リテーナ５が転がり部材４ａ，４ｂを伴い環状本体２内をその周方向に沿って一方にスライドする。これにより、転がり部材４は楔溝１内を図８（Ａ）中実線で示す遊び域１ａ内での位置から二点鎖線で示す一方の楔域１ｂ内の位置へと相対的に偏倚する。
【００５３】
また、上述の如く切り替えロッド１３が第二の位置へスライド操作され、ピン１４、カム溝１６及びリテーナ５の連動に伴い転がり部材４が一方の楔域１ｂに偏倚すると、それと同時にクリックストップ機構の押圧片２０が一方の凹部２１ｂに嵌り込んで切り替えロッド１３を第二の位置に拘束する。
【００５４】
これにより、スパナの操作者は図８（Ａ）中矢印ａで示す締め方向への切り替わりが完了したことを認識することができ、また、スパナの操作中に不意に締め付け力が解除される等の不具合が防止される。
【００５５】
切り替えロッド１３のスライド操作によって、スパナが締め方向へ切り替えられると、操作者がハンドル３を持って図７及び図８（Ａ）中矢印ａ方向に環状本体２を回すことで、転がり部材４が楔域１ｂ内をさらに深く食い込み、被回転体Ａを締め方向ａへ連れ回りさせる。
【００５６】
この場合、ハンドル３を逆向きに戻して楔作用を解き、被回転体Ａに対し転がり部材４を空回りさせ、再びハンドル３を持って矢印ａ方向に環状本体２を回す操作を繰り返すことで、ハンドル３の回転域を自在に変更してネジ締め作業を行うことができる。このハンドル３を逆向きに戻す時、すなわち図７及び図８の矢印ｂ方向に戻す時、ピン１４が図６中カム溝１６の一端縁１６ｂに当たり転がり部材４が図８中楔域１ｃ内に入り込むのを防止している。
【００５７】
被回転体Ａを締め付け作業が完了すると、スパナのハンドル３に掛ける力を除き、また、望ましくは切り替えロッド１３を中立位置にスライド操作し、転がり部材４を楔溝１の遊び域１ａへと移動させることによって転がり部材４の楔域１ｂへの食い込みを解除し、スパナの環状本体２を被回転体Ａから外すことができる。転がり部材４が遊び域１ａに復帰したことで、転がり部材４と被回転体Ａとの間に隙間が形成され、スパナの環状本体２は被回転体Ａから容易に離脱可能である。
【００５８】
右ネジの被回転体Ａを緩める場合は、スパナを裏返すことなく、上記締める場合と同じく表面を上側にしたまま被回転体Ａに被せればよい。
【００５９】
この場合もスパナは当初中立状態に切り替えておくのが望ましい。すなわち、この中立位置への切り替え操作によって、切り替えロッド１３が図２中実線で示す第一の位置と二点鎖線で示す第二の位置との中間位置にセットされ、これによって転がり部材４が楔溝１内を図８（Ｂ）中実線で示す遊び域１ａ内に移動する。
【００６０】
中立状態にセットされたスパナの環状本体２が、図１に示す表側を上にして、ボルト頭やナット等の外周面が円筒面である被回転体Ａに被せられる。
【００６１】
環状本体２内の位置決め部材である一対の転がり部材４ａ，４ａに、被回転体Ａの円筒面が接触し、被回転体Ａが環状本体２の中空内の略中心位置に位置決めされる。
【００６２】
そこで、切り替えロッド１３の下端に指を当てて切り替えロッド１３をスパナの裏側から表側へと押し上げる。すなわち、図２中二点鎖線で示す第二の位置から実線で示す第一の位置へと切り替えロッド１３を押し上げる。切り替えロッド１３は、カラー１３ｂがハンドル３の裏面に当接することにより停止する。
【００６３】
切り替えロッド１３が、縦穴１２内を上方にスライドすると、同時にピン１４も縦溝１５ａ，１５ｂ内を図２中二点鎖線位置から実線位置へと垂直に上昇する。
【００６４】
ピン１４が縦溝１５ａ，１５ｂ内を上昇し、ピン１４の先端部がカム溝１６の内壁面に摺接すると、ピン１４とカム溝１６との摺接作用によって、リテーナ５が転がり部材４，４ａを伴い環状本体２内をその周方向に沿って一方にスライドする。これにより、転がり部材４は楔溝１内を図８（Ｂ）中実線で示す遊び域１ａ内での位置から二点鎖線で示す他方の楔域１ｃ内の位置へと偏倚する。
【００６５】
また、上述の如く切り替えロッド１３が第一の位置へスライド操作され、ピン１４、カム溝１６及びリテーナ５の連動に伴い転がり部材４が他方の楔域１ｃに偏倚すると、それと同時にクリックストップ機構の押圧片２０が他方の凹部２１ａに嵌り込んで切り替えロッド１３を第一の位置に拘束する。
【００６６】
これにより、スパナの操作者は緩め方向への切り替わりが完了したことを認識することができ、また、スパナの操作中に不意に緩め力が解除される等の不具合が防止される。
【００６７】
切り替えロッド１３のスライド操作によって、スパナが緩め方向へ切り替えられると、操作者がハンドル３を持って図７及び図８（Ｂ）中矢印ｂの方向に環状本体２を回すことで、転がり部材４が楔域１ｃ内をさらに深く食い込み、被回転体Ａを緩め方向へ連れ回りさせる。
【００６８】
この緩め作業の場合も、上記締め作業と同様に、ハンドル３を繰り返し往復動作することでハンドル３の回転領域を自在に変更してネジ緩め作業を行うことができる。このハンドル３を逆向きに戻す時、すなわち図７及び図８の矢印ｃ方向に戻す時、ピン１４が図６中カム溝１６の他端縁１６ｃに当たり転がり部材４が図８中楔域１ｂ内に入り込むのを防止している。
【００６９】
被回転体Ａを緩める作業が完了すると、スパナのハンドル３に掛ける力を除くことにより転がり部材４の楔域１ｃへの食い込みを解除し、スパナの環状本体２を被回転体Ａから外すことができる。その場合あらかじめ切り替えロッド１３を中立位置にスライド操作し、転がり部材４を楔溝１の遊び域１ａへと移動させておくのが望ましい。転がり部材４が遊び域１ａに静止していることで、転がり部材４と被回転体Ａとの間に隙間が形成され、スパナの環状本体２は被回転体Ａから容易に離脱可能である。
【００７０】
なお、スパナを裏返して使用する場合も、表示に従って切り替えロッド１３をプッシュ操作することで上記表面での操作とまったく同じ操作で同様に被回転体Ａの締め付け操作と緩め操作とを行うことができる。つまりこのスパナは裏表の区別をすること無く上記被回転体Ａの締め作業及び緩め作業を行うことができる。
【００７１】
＜実施の形態２＞
図９乃至図１２に示すように、このスパナは、実施の形態１のスパナと異なり、多数の転がり部材４，４ａのうち、位置決め部材としての二個の転がり部材４ａ，４ａに対しては、遊び溝２３が設けられる。遊び溝２３は上記楔溝１における楔域１ｂ，１ｃが省略され全域が遊び域１ａとなった形状に形成される。
【００７２】
この遊び溝２３，２３間の角度は約１８０度である。ただし、上述したと同様に、遊び溝２３，２３間の角度及び転がり部材４ａ，４ａ，４ａ間の角度は任意でよい。１個の転がり部材４ａが支点となり他の２個の転がり部材４ａが力点となって、転がり部材４が被回転体Ａに対し空回転しなければ、転がり部材４ａ，４ａ，４ａ間の角度の如何は問わない。
【００７３】
遊び溝２３内に嵌り込む一対の転がり部材４ａは、他の転がり部材４と同径であってもよいし、多少大きくても小さくてもよい。遊び溝２３の深さと転がり部材４ａの径は、被回転体Ａに対する隙間が微小となるような大きさとされる。
【００７４】
これにより、スパナの環状本体２を被回転体Ａに被せると、図１２に示すように、被回転体Ａが一対の転がり部材４ａ，４ａに接触し、環状本体２の中心位置に位置決めされる。従って、スパナを回し始めると同時に被回転体Ａに対し転がり部材４は空転することなく上記楔作用を発揮し、従って被回転体Ａを所望方向に簡易かつ迅速に回すことができる。
【００７５】
また、図９乃至図１１に示すように、切り替え手段である縦穴１２、切り替えロッド１３、ピン１４等は、環状本体２の回りからその半径方向外側へと突出する突出部２ｃに設けられあるいは配置される。そして、実施の形態１におけるピン１４を縦穴１２に平行に案内する縦溝１５ａ，１５ｂに代えて、ピン１４の通し孔１５ｃが縦穴１２からリテーナ５に向かって貫通している。この通し孔１５ｃは、ハンドル３が突出部２ｃに連結された箇所から縦穴１２を横断してリテーナ５へと伸び、ピン１４の略三倍の径を有した横断面円形のトンネル孔として形成される。この横断面は必ずしも円形である必要は無く、ピン１４の動作を妨げない形状とすれば良い。また、ピン１４を縦穴１２に平行に案内するため、案内手段として切り替えロッド１３の側面にはその一本の母線に沿ってガイド溝２４が設けられ、縦穴１２の内面側にはこのガイド溝２４内に嵌り込む突起２５が設けられる。突起２５は突出部２ｃに埋設される埋め込みネジに設けられる。
【００７６】
これにより、切り替えロッド１３が縦穴１２内を図１０中実線で示す第一の位置と二点鎖線で示す第二の位置との間でスライドすると、切り替えロッド１３はガイド溝２４と突起２５との摺接作用によって縦穴１２内を回転することなく直線運動し、ピン１４は通し孔１５ｃ内で図１０中実線位置と二点鎖線位置との間を移動する。そして、上述の通りピン１４の先端部がカム溝１６の内壁面に摺接し、このピン１４とカム溝１６との摺接作用によってリテーナ５が転がり部材４，４ａを伴い環状本体２内をその周方向に沿っていずれかの向きにスライドする。その結果、転がり部材４が楔溝１内で何れか一方の楔域１ｂ，１ｃ内へと偏倚する。
【００７７】
実施の形態１の説明で述べたように、縦穴１２及び切り替えロッド１３の断面形状を真円形以外の多角形等他の形状にした場合は、切り替えロッド１３が軸回りでの回転を阻止される。従って、その場合は切り替えロッド１３がピン１４を縦穴１２に平行に案内する機能を持つことになるので、ガイド溝２４と突起２５は不要となる。
【００７８】
その他、実施の形態２において、実施の形態１と同じ部分には同一の符号を付して示し、重複した説明を省略する。
【００７９】
なお、本発明は上記実施の形態１，２に限定されるものではなく、本発明の要旨の範囲内で種々変更可能である。
【符号の説明】
【００８０】
１…楔溝
１ａ…遊び域
１ｂ，１ｃ…楔域
２…環状本体
３…ハンドル
４…転がり部材
５…リテーナ
１２…縦穴
１３…切り替えロッド
１４…ピン
１５ａ，１５ｂ…縦溝
１５ｃ…通し孔
１６…カム溝
２０…押圧片
２１ａ，２１ｂ…凹部
２３…遊び溝
２４…ガイド溝
２５…突起
【図１】
0005416572.tif 000002
【図２】
0005416572.tif 000003
【図３】
0005416572.tif 000004
【図４】
0005416572.tif 000005
【図５】
0005416572.tif 000006
【図６】
0005416572.tif 000007
【図７】
0005416572.tif 000008
【図８】
0005416572.tif 000009
【図９】
0005416572.tif 000010
【図１０】
0005416572.tif 000011
【図１１】
0005416572.tif 000012
【図１２】
0005416572.tif 000013